(57)【要約】【課題】重量のある商品を収納しても、フックへの引っ掛け等により安定した状態で展示できる商品展示箱を提供する。【解決手段】天壁１、背壁２、底壁３及び対向する側壁４を備え、前面には、商品視認用の開口を形成すると共に、下部にこぼれ止めとなる前壁５を設けた箱状の商品展示箱において、背壁２には、天壁１と接する位置にフック穴６を穿設し、フック穴６の前方への延長線上では、前面が開口しているようにする。天壁１の下面には、フック穴６の前方への延長線上に、フック６０の先端側の上向部６０ａを嵌め入れる嵌入凹所７を形成する。フック穴６に差し込まれたフック６０により荷重が天壁１の前後方向に延びる長い部分で受け止められ、嵌入凹所７にフック６０の先端側の上向部６０ａを嵌め入れると、フック６０の先端が見えず、前上がりに傾くこともない。【選択図】図５
2016198353.tif 000002
【特許請求の範囲】
【請求項１】
天壁(1)、背壁(2)、底壁(3)及び対向する側壁(4)を備え、前面には、商品視認用の開口を形成すると共に、下部にこぼれ止めとなる前壁(5)を設けた商品展示箱において、
前記背壁(2)には、天壁(1)と接する位置にフック穴(6)を穿設し、フック穴(6)の前方への延長線上では、前面が開口しているようにしたことを特徴とする商品展示箱。
【請求項２】
前記天壁(1)の下面には、フック穴(6)の前方への延長線上に、フックの先端側の上向部を嵌め入れる嵌入凹所(7)を形成したことを特徴とする請求項１に記載の商品展示箱。
【発明の詳細な説明】
【技術分野】
【０００１】
この発明は、収納した商品の展示に使用される商品展示箱に関するものである。
【背景技術】
【０００２】
従来より、商品の製造元から小売業者への輸送用包装と、小売業者の店頭における展示具としての機能を兼用する包装形態が種々採用されており、その一形態として、下記特許文献１には、図１３に示すような商品展示箱が記載されている。
【０００３】
この商品展示箱は、図１３（ａ）に示す包装状態において、天壁５１、背壁５２、底壁５３及び対向する側壁５４及び前壁５５を備え、天壁５１の後端に連設した差込片５６を背壁５２の前面に沿わせて封緘し、背壁５２からヘッダー部５７を上方へ突出させて、ヘッダー部５７にフック穴５８を穿設し、前壁５５から側壁５４の後部上方へかけてミシン目状の切目線５９を入れたものとされている。
【０００４】
このような商品展示箱を店頭で展示状態とするには、図１３（ｂ）に示すように、切目線５９を切断して、その上方部分を除去し、前面の上部及び側面の前寄り上部から天面にかけて開口させた状態として、商品Ｇを露出させる。この展示状態では、前壁５５の残存した下部により、商品Ｇのこぼれ落ちが防止される。
【０００５】
そして、このように開口させた商品展示箱は、図１３（ｃ）に示すように、ヘッダー部５７のフック穴５８に店舗什器から突出した棒状のフック６０を挿通し、フック６０に引っ掛けて支持した状態で、商品Ｇを展示する。
【先行技術文献】
【特許文献】
【０００６】
【特許文献１】登録実用新案第３１６１３９３号公報
【発明の概要】
【発明が解決しようとする課題】
【０００７】
しかしながら、上記のような商品展示箱では、垂直なヘッダー部５７のフック穴５８の周縁だけで荷重を支えるため、展示する商品Ｇが小型で軽いものに限られるという制約があるほか、フック６０の手前側へ迫り出させると、前下がりに傾くという問題がある。
【０００８】
そこで、この発明は、重量のある商品を収納しても、フックへの引っ掛け等により安定した状態で展示できる商品展示箱を提供することを課題とする。
【課題を解決するための手段】
【０００９】
上記課題を解決するため、この発明は、天壁、背壁、底壁及び対向する側壁を備え、前面には、商品視認用の開口を形成すると共に、下部にこぼれ止めとなる前壁を設けた箱状の商品展示箱において、前記背壁には、天壁と接する位置にフック穴を穿設し、フック穴の前方への延長線上では、前面が開口しているようにしたのである。
【００１０】
また、前記天壁の下面には、フック穴の前方への延長線上に、フックの先端側の上向部を嵌め入れる嵌入凹所を形成したのである。
【発明の効果】
【００１１】
この発明に係る商品展示箱では、背壁の上端部のフック穴に店舗什器から突出した棒状のフックを挿通し、差し込まれたフックが天壁の下面に沿うようにして、フックに引っ掛けると、荷重が天壁の前後方向に延びる長い部分で受け止められるので、収納した商品の重量が大きくても安定した状態で展示することができる。
【００１２】
また、前記天壁の下面に形成した嵌入凹所にフックの先端側の上向部を嵌め入れるようにすると、フックの先端側に迫り出すように支持しても、正面側からフックの先端が見えることがなく、フックの上向部に持ち上げられて前上がりに傾くこともないので、見映えよく展示でき、販売促進効果が期待できる。
【図面の簡単な説明】
【００１３】
【図１】この発明の実施形態に係る商品展示箱の組立状態を示す斜視図
【図２】同上の箱体基本部のブランクを示す図
【図３】同上の箱体前部、連結差込部及び連結部材のブランクを示す図
【図４】同上の組立過程を示す斜視図
【図５】同上のフック先端側での引掛支持による展示状態を示す斜視図
【図６】同上の図５のVI−VI線に沿った部分拡大断面図
【図７】同上のフック根元側での引掛支持による展示状態を示す斜視図
【図８】同上のＳカンと紐を使用した吊下支持による展示状態を示す斜視図
【図９】同上の図８のIX−IX線に沿った部分拡大断面図
【図１０】同上の連結部材を使用した据置による展示状態を示す斜視図
【図１１】同上の据置による展示のためのスタンドと商品展示箱の分解斜視図
【図１２】同上のスタンドを使用した据置による展示状態を示す斜視図
【図１３】特許文献１に記載の商品展示箱の（ａ）包装状態を示す斜視図、（ｂ）開封状態を示す斜視図、（ｃ）フックへの引掛支持による展示状態を示す側面図
【発明を実施するための形態】
【００１４】
以下、この発明の実施形態を添付図面に基づいて説明する。
【００１５】
図１に示すように、この商品展示箱Ｂは、天壁１、背壁２、底壁３及び対向する側壁４を備え、前面に商品視認用の開口を形成すると共に、下部にこぼれ止めとなる前壁５を設けたものとされ、図２及び図３にブランクで示す段ボール製の箱体基本部１１及び箱体前部１２と、板紙製の連結差込部１３とから構成されている。また、付属物として、図３にブランクで示す板紙製の連結部材１４も用意されている。
【００１６】
図２に示す箱体基本部１１の段ボールのブランクでは、背壁２の上端に外天板１ａ、額縁１ｂ及び内天板１ｃが順次連設され、背壁２の両側に外側板４ａ、額縁４ｂ、内側板４ｃ及び巻込板４ｄが順次連設されている。外側板４ａ及び内側板４ｃは、上方へかけて前縁となる辺が斜めに後退した形状とされ、その斜辺間に額縁４ｂが介在している。背壁２及び外側板４ａの下端には、底板３ａ，３ｂがそれぞれ連設されている。
【００１７】
外側板４ａの斜辺の下方には垂直辺が形成され、この垂直辺には継代片５ｃが連設されている。外側板４ａ及び内側板４ｃの上端には、折込片１ｄ，１ｅがそれぞれ連設され、内側板４ｃと折込片１ｅの境界の罫線は、他の罫線とは逆の谷折方向へ折り曲げるため、段ボールの表面側から押圧した逆罫線とされている。
【００１８】
内天板１ｃの先端中央部には、係合突起１ｆが突設され、背壁２の上端中央部には、スリット状の係合穴２ａが穿設されている。内側板４ｃの後端となる端辺には、係合突起４ｅが２個ずつ突設され、背壁２の両側には、外側板４ａとの境界に沿って係合穴２ｂが２個ずつ穿設されている。背壁２の下端中央部には、スリット状の係合穴２ｃが穿設され、背壁２の両側上部には、連結差込部１３を位置決めする目印２ｄが刻設されている。
【００１９】
底板３ａの内側には、背壁２の下端からのコ字状の切込により差込片２ｅが形成され、差込片２ｅは、複数の繋部で底板３ａに繋がっている。
【００２０】
そして、背壁２の上端には、係合穴２ａの両側方に、これより上下方向の寸法が大きい長方形状のフック穴６がそれぞれ穿設されている。内天板１ｃには、フック穴６に対応する幅方向の位置に、嵌入凹所７となる長方形状の穴が穿設され、これに対応して、折込片１ｄ，１ｅの端縁にも嵌入凹所７となる切欠部が形成されている。
【００２１】
外天板１ａの前側両角部には、Ｓカンを引っ掛ける円形の引掛穴８が穿設され、これに対応して、折込片１ｄ，１ｅにも円形の引掛穴８が穿設されている。また、内天板１ｃには、引掛穴８を構成する半円状の切欠部が形成されている。外側板４ａ及び内側板４ｃの前側となる上角部には、吊下用の紐を挿通する円形の紐穴９が穿設されている。
【００２２】
次に、図３に示す箱体前部１２の段ボールのブランクでは、外前板５ａの下辺に底板３ｃが連設され、外前板５ａの上辺に内前板５ｂ及び底敷板３ｄが順次連設されている。底敷板３ｄの先端中央部には、係合突起３ｅが突設されている。内前板５ｂと底敷板３ｄの境界の罫線は、他の罫線とは逆の谷折方向へ折り曲げるため、段ボールの表面側から押圧した逆罫線とされている。
【００２３】
また、図３に示す連結差込部１３の板紙のブランクでは、背壁２の幅と略等しい長さの帯板１３ａ，１３ｂ及び継代片１３ｃが長辺で連設され、帯板１３ｂと継代片１３ｃの境界中央部には、コ字状の切込による差込穴１３ｄが設けられている。
【００２４】
また、図３に示す連結部材１４の板紙のブランクでは、商品展示箱Ｂの２個分の幅と略等しい長さの一対の連結板１４ａが一方の長辺で連設され、それぞれの連結板１４ａの他方の長辺には、連結差込部１３の差込穴１３ｄに差し込まれる差込片１４ｂが２個ずつ突設されている。
【００２５】
このようなブランクから商品展示箱Ｂを組み立てるには、図４に示すように、箱体基本部１１において、背壁２から一対の外側板４ａを前方へ折り曲げ、額縁４ｂ及び内側板４ｃを内側へ巻き込むように折り曲げて、巻込板４ｄを外側板４ａと内側板４ｃの間に挟み込み、係合突起４ｅを係合穴２ｂに係合させて側壁４を形成する。
【００２６】
次に、対向する側壁４の外側板４ａから継代片５ｃを内側へ折り曲げ、箱体前部１２の外前板５ａの両端部を継代片５ｃの外面に貼り付け、背壁２、外側板４ａ及び外前板５ａから底板３ａ，３ｂ，３ｃを順次折り曲げて噛み合わせることにより底面を閉じ、外前板５ａから内前板５ｂを内側へ折り曲げつつ、内前板５ｂから底敷板３ｄを谷折りし、外前板５ａと内前板５ｂとを重ね合わせて前壁５を形成すると共に、底板３ａ，３ｂ，３ｃの上面に底敷板３ｄを重ね合わせて底壁３を形成する。
【００２７】
そして、内側板４ｃから折込片１ｅを谷折りし、外側板４ａから折込片１ｄを内側へ折り曲げて、折込片１ｄ，１ｅを重ね、背壁２から外天板１ａを前方へ折り曲げ、額縁１ｂ及び内天板１ｃを内側へ巻き込むように折り曲げて、外天板１ａと内天板１ｃの間に折込片１ｄ，１ｅを挟み込み、係合突起１ｆを係合穴２ａに係合させて天壁１を形成する。
【００２８】
さらに、連結差込部１３において、帯板１３ａ，１３ｂを重ね合わせ、継代片１３ｃを巻き込むように折り曲げ、継代片１３ｃに帯板１３ａを貼り付けた状態とし、連結差込部１３の下端を背壁２の目印２ｄに合わせて、差込穴１３ｄが上へ向くように、帯板１３ｂを背壁２の外面に貼り付けると、図１に示す商品展示箱Ｂが完成する。
【００２９】
上記のような商品展示箱Ｂでは、商品を収納して小売業者の店舗へ輸送し、店頭において、図５及び図６に示すように、背壁２の上端部のフック穴６に店舗什器から突出した棒状のフック６０を挿通し、差し込まれたフック６０が天壁１の下面に沿うようにして、フック６０に引っ掛けると、荷重が天壁１の前後方向に延びる長い部分で受け止められるので、収納した商品の重量が大きくても安定した状態で展示することができる。
【００３０】
また、天壁１の下面の嵌入凹所７は、段ボール３枚分の深さを有するものとなり、嵌入凹所７にフック６０の先端側の上向部６０ａを嵌め入れるようにすると、フック６０の先端側に迫り出すように支持しても、正面側からフック６０の先端が見えることがなく、フック６０の上向部６０ａに持ち上げられて前上がりに傾くこともないので、見映えよく展示でき、販売促進効果が期待できる。
【００３１】
なお、店舗の売場の状況によっては、図７に示すように、嵌入凹所７にフック６０の先端側の上向部６０ａを嵌め入れることなく、フック６０の先端側が商品展示箱Ｂの前面の開口から突き出すようにして、フック６０の根元側で商品展示箱Ｂが支持されるように展示してもよい。この場合でも、商品展示箱Ｂは、天壁１の前後方向に延びる長い部分でフック６０により支持され、安定した状態で展示できる。
【００３２】
また、図８及び図９に示すように、引掛穴８にＳカン６１を引っ掛けて、紐６２により吊下支持するようにしてもよく、引掛穴８と紐穴９に紐を挿通して結わえ付け、商品展示箱Ｂを紐で直接的に吊下支持するようにしてもよい。
【００３３】
また、この商品展示箱Ｂは、単体で棚等に据え置き展示してもよく、図１０に示すように、２個横に並べて、連結部材１４により連結した状態で据置展示してもよい。
【００３４】
商品展示箱Ｂの連結に際しては、連結部材１４の連結板１４ａ同士を折り重ねて貼り合わせておき、横に並べた商品展示箱Ｂの連結差込部１３の差込穴１３ｄに、連結部材１４の差込片１４ｂをそれぞれ差し込む。なお、この展示状態で前向きとなる連結板１４ａの表面には、商品のキャッチコピー等を印刷しておけばよい。
【００３５】
さらに、図１１及び図１２に示すように、店舗の床上に設置するスタンド１５を使用した据置状態で展示してもよい。
【００３６】
ここで示すスタンド１５は、３個の商品展示箱Ｂを雛壇状に支持するものであり、外枠体１５ａの内側に３段の脚体１５ｂを内接させた構成とされ、脚体１５ｂの各段に係合切込１５ｃが形成されている。そして、脚体１５ｂの各段にそれぞれ商品展示箱Ｂを載せ、商品展示箱Ｂの底壁３から差込片２ｅを繋部の切断に伴い下方へ起こし、差込片２ｅを係合切込１５ｃに差し込んで、商品展示箱Ｂを安定させる。
【００３７】
なお、上記実施形態では、商品展示箱Ｂとして、箱体基本部１１と箱体前部１２とから箱体が構成され、底壁３が簡易組立式のいわゆる地獄底となったものを例示しているが、商品展示箱は、単一のブランクから成り、周壁各面から延びるフラップを重ね合わせて底面及び天面を閉止するいわゆるＡ式の箱体として、その前面を開口させたものとしてもよく、天壁及び底壁を背壁からの延長部分を巻き込んだ二重構造とし、側壁から延びる折込片を天壁と側壁の内部にそれぞれ挟み込むトレイ状の形式としてもよい。
【００３８】
また、商品の視認性を高めるため、側壁４の前縁を上方へかけて斜めに後退させた形状のものを例示したが、収納する商品の形状によっては、側壁４の側面形状を通常の四角形として、一般的な直方体状のものとしてもよい。
【００３９】
また、背壁２の上端部にフック穴６を２個設けたものを例示したが、フック穴６は、幅が狭い箱であれば１個だけにしても、引掛状態で不安定となることはなく、幅が広い箱であれば３個以上設けることにより、安定性を確保するようにすればよい。
【００４０】
そのほか、こぼれ止めとなる前壁５の部分を除いて前面が全体的に開口したものを例示したが、商品展示箱の前面は、側部や上部に壁が存在するものとしてもよい。この場合、フック穴６の前方への延長線上では、前面が必ず開口している必要がある。
【符号の説明】
【００４１】
Ｂ  商品展示箱
１  天壁
１ａ  外天板
１ｂ  額縁
１ｃ  内天板
１ｄ，１ｅ  折込片
１ｆ  係合突起
２  背壁
２ａ，２ｂ，２ｃ  係合穴
２ｄ  目印
２ｅ  差込片
３  底壁
３ａ，３ｂ，３ｃ  底板
３ｄ  底敷板
３ｅ  係合突起
４  側壁
４ａ  外側板
４ｂ  額縁
４ｃ  内側板
４ｄ  巻込板
４ｅ  係合突起
５  前壁
５ａ  外前板
５ｂ  内前板
５ｃ  継代片
６  フック穴
７  嵌入凹所
８  引掛穴
９  紐穴
１１  箱体基本部
１２  箱体前部
１３  連結差込部
１３ａ，１３ｂ  帯板
１３ｃ  継代片
１３ｄ  差込穴
１４  連結部材
１４ａ  連結板
１４ｂ  差込片
１５  スタンド
１５ａ  外枠体
１５ｂ  脚体
１５ｃ  係合切込
６０  フック
６０ａ  上向部
６１  Ｓカン
６２  紐
【図１】
2016198353.tif 000003
【図２】
2016198353.tif 000004
【図３】
2016198353.tif 000005
【図４】
2016198353.tif 000006
【図５】
2016198353.tif 000007
【図６】
2016198353.tif 000008
【図７】
2016198353.tif 000009
【図８】
2016198353.tif 000010
【図９】
2016198353.tif 000011
【図１０】
2016198353.tif 000012
【図１１】
2016198353.tif 000013
【図１２】
2016198353.tif 000014
【図１３】
2016198353.tif 000015